(57)【要約】【課題】  浸透ますは設置の時に地中にネット状にフィルターを設置した後で、このフィルターを交換する事が不可能であった。【解決手段】  雨水ます容器の中に地中浸透管を通して、浸透管を地中深く埋設しても、管を二重筒管にして、内側の筒管にフィルターを設置して、内側筒管を自由に出し入れが可能にしたことで、設置後もフィルターの交換が可能したことで上記の課題を解決した。【選択図】図６
2009197563.tif 000002
【特許請求の範囲】
【請求項１】
雨水を竪樋または車道面より流入させる雨水ますにあって、
雨水ます容器内部に地中浸透管を設けて、浸透管上部は雨水ます容器の縁面より低い位置に設置して、容器中の水位面は、浸透管上部開口部より高い水位面の時だけ、雨水を浸透管上部開口部に設置したフィルターより流入させる。
浸透管内部の筒管は二重構成で、外側筒管は雨水容器に固定されている、地中に埋設される外側筒管は、雨水ます容器底部で外側筒管と着脱が可能となっている。
浸透管上部開口部は内部筒管で構成されている、内部筒管は取り出しが可能で、水位面の雨水流入は浸透管上部に設置されたフィルターの中を通り、雨水は内部筒管を流下して、内部筒管の下側先端部に設置されたフィルターを通して地中浸透させるが、内側筒管は外側筒管の中にあり、地中深く埋設されても、内側筒管は外側筒管に保護されている、雨水ます容器より内側筒管を引き上げが可能となり、内側筒管の下側先端部のフィルターを交換する事が可能となることを特徴とするフィレター付き雨水ます。
【発明の詳細な説明】
【技術分野】
【０００１】  本発明は、雨水を地中浸透させる雨水ますである。
【背景技術】
【０００２】  従来の浸透ますは、土面に穴を掘り、穴の内側全体をネット状にフィルターで囲み、その中に浸透ます設置して、浸透ますの外側全体に砕石を入れて完成させる、浸透ます容器には多数の穴を開けて、浸透ます容器に流入した雨水は浸透ます容器の穴から外側の砕石空間に雨水は出で行く、砕石空間の雨水はフィルターを通して地中浸透させている。
【発明の開示】
【発明が解決しょうとする課題】
【０００３】  前記の浸透ます設置において、穴の内側全体をネット状フィルター設置されているために、フィルターの点検と交換する事が不可能であった。
本発明は雨水ます容器の中から、地中深く設置されたフィルターを交換が可能なフィルター付き雨水ます容器を提案する。
【課題を解決するための手段】
【０００４】  本発明は上記目的を達成するために、雨水ます容器内部に地中浸透管を設けて、浸透管上部は雨水ます容器の縁面より低い位置に設置して、容器内部の水位面は、浸透管上部開口部より高い時だけ、雨水を浸透管上部開口部に設置したフィルターより流入させる。
浸透管内部の筒管は二重構成で、外側筒管は雨水容器に固定されている、地中に埋設される外側筒管は雨水ます容器底部で外側筒管と着脱が可能となっている。浸透管上部開口部は内部筒管で構成されている、内部筒管は取り出しが可能で、水位面の雨水流入は浸透管上部に設置されたフィルターの中を通り、雨水は内部筒管を流下して、内部筒管の下側先端部に設置されてフィルターを通して地中浸透させるが、内側筒管は外側筒管の中にあり、地中深く埋設されても、内側筒管は外側筒管に保護されている、雨水ます容器より内部筒管を引き上げが可能となり、内側筒管の下側先端部のフィルターを交換する事が可能となることを特徴とするフィルター付き雨水ますで上記の課題を解決した。
【発明効果】
【０００５】  上述したように、雨水を地中浸透させていく過程ではフィルターに目詰が発生した時に、地中内部のフィルター交換を可能にすることである。
【発明を実施するための最良の形態】
【０００６】  以下、本発明の実施の形態を図１−１３に基づいて説明する。
図１は、内側筒管断面図を示す。
内側筒管１は、内側筒管ソケット２３の上側に接続され、浸透管上部開口部２７となる、内側筒管ソケット２３の下側にはフィルター固定筒管２４が接続されフィルター固定筒管２４には、フィルター固定バンド１５が固定バンドボルト１６により、フィルター固定筒管２４に装着されている、内側筒管１と内側筒管ソケット２３とフィルター固定筒管２４の３点は一体構成で完成され、内側筒管１の上側には、外側筒管フタ２１が防水処理されて固定されている。【０００７】  図２は、外側筒管断面図を示す。
外側筒管２は外側筒管ソケット２２の上側に接続されている、外側筒管２の上側は内側筒管受け入れ口１８となり、外側筒管２２の下側は地中浸透管接続口１７となる、雨水ます容器６との接続面は雨水ます容器接続面１９となります。【０００８】  図３は、袋状布フィルター図を示す。
袋状布フィルター３は、浸透管上部開口部２７より流入する雨水を、袋状布フィルター３で受けて地中浸透させる、袋状布フィルター３は着脱が可能になつている。【０００９】  図４は、キャップフィルター図を示す。
キャップフィルター５は、ステンレスの網目状になっております、雨水は網目より流入するが、木の葉や網目より大きな物質は通過を阻止する。【００１０】  図５は、フィルター固定バンド図を示す。
フィルター固定バンド１５は、フィルター固定バンドボルト穴４設けてある、袋状布フィルター３の中にフィルター固定筒管２４を入れて、袋状布フィルター３の上側からフィルター固定バンド１５巻いて、フィルター固定バンドボルト１６により固定する、フィルター固定筒管２４には、フィルター固定バンドボルト１６を受け入れする、ネジ穴が用意されている。【００１１】  図６は、内側筒管と外側筒管の組合せ断面図を示す。
外側筒管２の中に内側筒管１を入れるが、内側筒管１の上側にある外側筒管フタ２１により、外側筒管２の内部には、キャップフルター受け台２０より、雨水が流入する事がない、内側筒管１の下側先端部のフィルター固定筒管２４に、袋状布フィルター３をフィルター固定バンド１５で、フィルター固定バンドボルト１６により固定される、袋状布フィルター３を取り外すにはフィルター固定バンド１５取り外すことで、袋状布フィルター３を交換が可能となる、外側筒管フタ２１を、外側筒管２より引き抜くことで、内側筒管１外に出すことで、袋状布フィルター３を外側に出すことが可能となり、交換も可能となります。【００１２】  図７は、雨水ます容器正面図を示す。
雨水ます容器６の底部に穴を開けて、ここに外側筒管ソケット２２入れて、雨水ます容器６に固定させる。【００１３】  図８は、雨水ます容器断面図を示す。
外側筒管２は雨水ます容器６の底部より、外側筒管２２が出ている所に、雨水ます容器固定バンド２５で、雨水ます容器６と外側筒管ソケット２２は防水処理されて固定されている、浸透管上部開口部２７にキャップフィルター５が設置されている。【００１４】  図９は、雨水ます容器底部と外側筒管ソケット固定バンド図を示す。
雨水ます容器６の底部穴に、雨水ます容器接続面１９まで入れて、雨水ます容器６の底部穴の裏側より防水処理をして、雨水ます容器固定バンド２５で止める。【００１５】  図１０は、車道用雨水ます正面図を示す。
歩車道境界縁石１０と雨水ますフタ１２と、フタを受ける、雨水ますフタ台座１３により構成されている、雨水ますフタ１２の下側には雨水ます容器６が収納されている。【００１６】  図１２は、雨水ます設置断面図を示す。
雨水ます２６内部構成は雨水ます容器６の底部側の外側筒管ソケット２２に地中浸透管７が接続され地中浸透管７の内側に袋状布フィルター３が設置されている、深さの調整は地中浸透管７の長さで決める事が可能です、袋状布フィルター３は、周りの土圧の影響は地中浸透管７により保護されている、雨水ますフタ１２を開けて、キャップフィルター５と袋状布フィルター３を外に取り出す事が可能となる。袋状布フィルター３より出た雨水は地中の砕石８の空間に雨水は浸透していく。【００１７】  図１１は、車道用雨水ます正面図を示す。
歩車道境界縁石１０と雨水ますフタ１２とフタを受ける雨水ますフタ台座１３により構成されている、雨水ますフタ１２の下側に車道用雨水下水ます１１が設置されている。【００１８】  図１３は車道用雨水下水ます設置断面図を示す。
車道用雨水下水ます１１の底部側には下水本管の接続口１４がある、車道用雨水下水ます１１の底部に、地中浸透管７両側の片方は地中深く埋設としその反対側は車道用雨水ます１１の底部より内部に出た所に、外側筒管ソケット２２と接続させる。車道用雨水ます１１に雨水ますフタ１２より流下してきた雨水が中に入り、始めは下水本管の接続口１４に流れていくが、大雨の時は内部の水位が上がり、キャップフィルター５まで水位が来ますと、水位ピークカットとしてキャップフィルター５より地中浸透管７中の袋港布フィルター３の中から雨水が砕石８の空間に浸透されていく。
地中浸透管７は車道用雨水下水ます１１の底部に固定されている、内側筒管１に接続されている袋状布フィルター３は、雨水ますフタ１２開けて、内側筒管１を上側に引き出す事で車道用雨水下水ます１１の外側に袋状布フィルター３が出で来る事で交換が可能になる。
【図面の簡単な説明】
【００１９】
【図１】  内側筒管断面図。
【図２】  外側筒管断面図。
【図３】  袋状布フィルター図。
【図４】  キャップフィルター図。
【図５】  フィルター固定バンド図。
【図６】  内側筒管と外側筒管の組合せ断面図。
【図７】  雨水ます容器正面図。
【図８】  雨水ます容器断面図。
【図９】  雨水ます容器底部と外側筒管ソケット固定バンド図。
【図１０】  車道用雨水ます正面図。
【図１１】  車道用雨水ます正面図。
【図１２】  雨水ます設置断面図。
【図１３】  車道用雨水下水ます設置断面図。
【符号の説明】
【００２０】１．    内側筒管
２．    外側筒管
３．    袋状布フィルター
４．    フィルター固定バンドボルト穴
５．    キャップフィルター
６．    雨水ます容器
７．    地中浸透管
８．    砕石
９．
１０．  歩車道境界縁石
１１．  車道用雨水下水ます
１２．  雨水ますフタ
１３．  雨水ますフタ台座
１４．  下水本管の接続口
１５．  フィルター固定バンド
１６．  フィルター固定用バンドボルト
１７．  地中浸透管接続口
１８．  内側筒管受け入れ口
１９．  雨水ます容器接続面
２０．  キャップフィルター受け台
２１．  外側筒管フタ
２２．  外側筒管ソケット
２３．  内側筒管ソケット
２４．  フィルター固定筒管
２５．  雨水ます容器固定バンド
２６．  雨水ます
２７．  浸透管上部開口部
【図１】
2009197563.tif 000003
【図２】
2009197563.tif 000004
【図３】
2009197563.tif 000005
【図４】
2009197563.tif 000006
【図５】
2009197563.tif 000007
【図６】
2009197563.tif 000008
【図７】
2009197563.tif 000009
【図８】
2009197563.tif 000010
【図９】
2009197563.tif 000011
【図１０】
2009197563.tif 000012
【図１１】
2009197563.tif 000013
【図１２】
2009197563.tif 000014
【図１３】
2009197563.tif 000015